(57)【要約】【課題】家屋を建設するための家屋建築用基礎構造として、床束を安定支持でき、且つ、束石を含めた基礎構造が強固にできるようにすること。【解決手段】基礎地盤１に構築される家屋建築用基礎構造であって、上部ステコン５の上の所定の複数位置において、コンクリート打設により造型された束石６が敷設され、該束石６には、少なくとも横方向に外部に突出するように複数本の配筋７が敷設されており、前記束石６から突出した配筋７と連結させて溶接金網８が基礎地盤１の略全面に敷設され、前記溶接金網８を埋没させる状態で、且つ、前記束石６の所定の高さ位置にまで仕上げコン９を打設して前記溶接金網８、束石６の配筋７及び束石６を一体構造物に構成してある。【選択図】図１
0003129129.tif 000002
【実用新案登録請求の範囲】
【請求項１】
基礎地盤１の上に敷かれたグリ石及び砕石層２と、このグリ石及び砕石層２の上に打設された下部捨てコン層３と、該下部捨てコン層３の上に敷設された防湿シート４と、該防湿シート４の上に打設された上部捨てコン層５を備えた家屋建築用基礎構造であって、
前記上部ステコン５の上の所定の複数位置において、コンクリート打設により造型された束石６が敷設され、
該束石６には、少なくとも横方向に外部に突出するように複数本の配筋７が敷設されており、
前記束石６から突出した配筋７と連結させて、且つ、この配筋７と略同一レベルで、溶接金網８が基礎地盤１の略全面に敷設され、
前記溶接金網８を埋没させる状態で、且つ、前記束石６の所定の高さ位置にまで仕上げコン９を打設して前記溶接金網８、束石６の配筋７及び束石６を一体構造物に構成してあることを特徴とする家屋建築用基礎構造。
【請求項２】
前記束石６の上部に、床束１０用の凹部６Ａが形成され、該凹部６Ａと床束１０との間に充填材１１が充填されていることを特徴とする請求項１の家屋建築用基礎構造。
【請求項３】
前記束石６が、ヒバエキス練り込みコンクリートにより造型されていることを特徴とする請求項１又は請求項２の家屋建築用基礎構造。
【考案の詳細な説明】
【技術分野】
【０００１】  本考案は、地盤を整地、改良して、家屋を建設するための家屋建築用基礎構造に関する。
【背景技術】
【０００２】  一般に、家屋建築用基礎は、家屋建築予定地の掘削等の事前作業を行い、割栗地業或いは砕石地業を行い、捨てコンを打った後に防湿シートを敷き、その上から更に捨てコンを打って養生し、他方、コンクリート打ち出で布基礎を形成し（或いは布基礎を作らずに束石を設置して床束を載置／固定しない）、布基礎に土台を載置し、大引き、根太を配置し、その後に床板を架け渡すようにしている。【０００３】  これまでの家屋建築用基礎の構造及び工法については、次の文献を挙げることができる。
【特許文献１】実用新案登録第３０３５３５９号
【特許文献２】実用新案登録第３０４５３５６号
【特許文献３】特開２０００−２６１９４５
【考案の開示】
【考案が解決しようとする課題】
【０００４】  上述した従来技術によれば、捨てコンを打った後は、束石をその上に載置するようにしていた。この工法によれば、束石を別途準備しなければならず、適当な石がない場合は、コンクリートで別途成型した束石に相当するものを、やはり別途準備しなければならない。
また、束石は、養生後の捨てコンの上の所定の位置に載置されるだけであるので、床束を安定して支持し難いものである。【０００５】  また、束石、床束の構造は、支持構造として耐震性に優れているものではあるが、白アリの蟻道となることが知られており、これまで、種々その防止策が講じられてきている。【０００６】  本考案は、かかる問題に鑑み、家屋を建設するための家屋建築用基礎構造として、床束を安定支持でき、且つ、束石を含めた基礎構造が強固にできるようにすることを目的とする。
【課題を解決するための手段】
【０００７】  本考案において、次の語彙を明らかにしておく。
本考案に言う家屋は、木造建築物を対象としているが、一部に鉄筋コンクリートを併用するものも含まれる。
また、基礎構造として、布基礎が設けられる場合も、設けられない場合も
そして、本考案に言う束石とは、自然石を言うものではなく、束石と同じ機能を果たすものを言うのであって、実施例で示すように、コンクリート打設によるものを指す。【０００８】  また、本考案に言う溶接金網とは、メッシュ構造の金網そのものを指す他に、配筋をメッシュに配置して溶接止めしたものも含まれる。
更に、溶接金網が基礎地盤の略全面に敷設されるという意味は、仕上げコンが打設される範囲を言うものであり、また、布基礎が造型される場合には、その内側を言う。
更に、捨てコン、仕上げコン、束石の造型に用いるコンクリートは、その種類が限定されるものではなく、当業界において用いられている種類の全てのコンクリートが含まれる。【０００９】  本発明にかかる家屋建築用基礎構造は、上記目的を達成するために、基礎地盤の上に敷かれたグリ石及び砕石層と、このグリ石及び砕石層の上に打設された下部捨てコン層と、該下部捨てコン層の上に敷設された防湿シートと、該防湿シートの上に打設された上部捨てコン層を備えた家屋建築用基礎構造であって、
前記上部ステコンの上の所定の複数位置において、コイバサを介してコンクリート打設により造型された束石が敷設され、
該束石には、少なくとも横方向に外部に突出するように複数本の配筋が敷設されており、
前記束石から突出した配筋と連結させて、且つ、この配筋と略同一レベルで、溶接金網が基礎地盤の略全面に敷設され、
前記溶接金網を埋没させる状態で、且つ、前記束石の所定の高さ位置にまで仕上げコンを打設して前記溶接金網、束石の配筋及び束石を一体構造物に構成してあることを特徴とする。
【考案の効果】
【００１０】  本考案にかかる家屋建築用基礎構造によれば、床束を安定支持でき、且つ、束石を含めた基礎構造が強固にできる利点がある。
本考案にかかるその他の利点については、以下の説明から明らかとなろう。
【考案を実施するための最良の形態】
【００１１】  本考案の実施に際しては、前記束石の上部に、床束用の凹部が形成され、該凹部と床束との間に充填材が充填されていることが好ましい。
このように、床束が束石に対して一体的でなく、載置されるのが耐震上好ましいが、この場合、凹部を設けてそこに床束を挿入設置することで安定的に支持されるが、さらに、両者間に充填材を充填して一体的に支持することがより好ましい。例えば、充填材として、各種の樹脂、例えば、シリコン樹脂、合成、天然ゴム等を用いれば、所定の融通がつく状態での支持構造が得られ、十分な支持をすることができながら、耐震（免震）上、好ましい。また、樹脂に白アリ対策として、ヒバエキス等を練り込むようにするようにしてもよい。【００１２】  また、前記束石が、ヒバエキス練り込みコンクリートにより造型されていることが好ましい。
束石は、床束につづく蟻道となるので、ここで白アリが登らない工夫をすることが必要であり、ここに白アリが嫌う、ヒバエキスが練り込まれた束石とすることで床束への移動を阻止でき、上方の柱を保護することができる。
【実施例１】
【００１３】  本考案にかかる家屋建築用基礎構造の好適実施例を図１〜図１０に基づいて、以下詳述する。図１は、家屋建築用基礎構造の要部の縦断側面図であり、この基礎構造は、基本的には、基礎地盤１の上に、グリ石及び砕石層２が敷かれ、このグリ石及び砕石層２の上に、下部捨てコン層３が打設されており、更に、該下部捨てコン層３の上に防湿シート４が敷設され、更に、該防湿シート４の上に上部捨てコン層５を打設して構成されている。この防湿シート４としては、ビニールシートが重ね置きで用いられる。【００１４】  前記上部ステコン５の上の所定の複数位置、ここでは、図２に示すように、平面視で所定の間隔を隔てた９箇所において、コンクリート打設により造型された束石６が敷設されている。この束石６は、従来技術にいう自然石の束石ではなく、コンクリートにより造型されているものである。このコンクリートは、公知のものであれば種類を問わないものである。図１においては、便宜上、左右中間に位置する束石６が省略された状態で描かれている。【００１５】  前記束石６には、図３乃至図５に示すように、少なくとも横方向、即ち、ここでは４面の方向で、外部に突出するように各２本の配筋７が敷設されている。
更に、前記束石６から突出した配筋７と溶接によって連結させて、且つ、この配筋７と略同一レベルで、溶接金網８が基礎地盤１の略全面に敷設されている。ここでは、溶接金網８としているが、一般の鋼棒の組み合わせによるメッシュ状体であってもよい。【００１６】  また、前記溶接金網８を埋没させる状態で、且つ、前記束石６の所定の高さ位置、ここでは、約半分にまで仕上げコン９を打設して前記溶接金網８、束石６の配筋７及び束石６を一体構造物に構成してある。この仕上げコン９としては、この実施例では、防水コンクリートが用いられている。
そして、前記束石６の上部に、床束１０用の大き目の凹部６Ａが形成され、該凹部６Ａと床束１０との間に充填材１１が充填されている。この実施例では、充填材１１として、シリコン樹脂（天然樹脂でもよい）が用いられているが、その他に、ヒバエキスを練り込むようにしてもよい。【００１７】  更に、前記束石６は、ヒバエキス練り込みコンクリートにより造型されているものである。
次に、前記束石６の造型について詳述する。図３は、造型された状態の束石６の斜視図であり、図４は、一部縦断の側面図であり、図５は、平面図である。
ここでは、束石６は、サイ頭四角錐に造型されており、その上面には、凹部６Ａが形成されていて、床束１０が挿入設置されるように構成されている。図４において、１１は、充填材である。【００１８】  この束石６は、図６乃至図８に示す型枠１３により造型され、この型枠１３は、上面枠１３Ａ、前後左右面の４面枠１３Ｂを上下においてボルト連結により、分解、組み立て可能に構成されており、且つ、その前後左右面の側面には、配筋７を貫通させる孔１４が夫々設けられている。上面枠１３Ａは、前記凹部６Ａを形成するためのものであり、所定量のコンクリートが充填された状態で、この上面枠１３Ａが上方から被せられ固定される。コンクリートの養生が終われば、この型枠１３は、夫々分解され、取り外される。【００１９】  次に、仕上げコン打設に際して、基礎構造の周部を造型する型枠について、図９及び図１０を参照して述べる。
図９に示すのは、側部型枠１５であり、図１０に示すのは、コーナー部分を成型する角部型枠１６である。
前記側部型枠１５は、ここでは、上下２段の型枠１５Ａ，１５Ｂとから構成され、下方の型枠１５Ａは，断面コの字型であり、上部の型枠１５Ｂは，断面Ｌ字型である。その上部の型枠１５Ｂの上端部には、内側に向けて庇１５Ｃが設けられ、仕上げコン９の面取りを行って、綺麗な仕上げを行うようにしている。そして、長手方向の端部には、隣接する側部型枠１５に対するボルト連結のための連結用のフランジ１５Ｄが設けられている。【００２０】  前記角部型枠１６は、図１０に示すように、やはり、上下２段の型枠１６Ａ，１６Ｂと構成とされ、下方の型枠１６Ａは，断面コの字型であり、上部の型枠１６Ｂは，断面Ｌ字型である。その上部の型枠１６Ｂの上端部には、内側に向けて庇１６Ｃが設けられ、仕上げコン９の面取りを行って、綺麗な仕上げを行うようにしている。また、折れ曲がりの両端部には、隣接する側部型枠１５に対するボルト連結のための連結用のフランジ１６Ｄが設けられている。
【産業上の利用可能性】
【００２１】  本考案にかかる家屋建築用基礎構造は、木造建築だけでなく、鉄筋を併用する場合にも用いられるもので、束石を用いる工法の基礎構造として、その適用範囲は広いものである。
【図面の簡単な説明】
【００２２】
【図１】本考案に係る家屋建築用基礎構造の要部の縦断側面図。
【図２】本考案に係る家屋建築用基礎構造の要部の平面図。
【図３】本考案により家屋建築用基礎構造の束石の斜視図。
【図４】本考案により家屋建築用基礎構造の束石の一部縦断側面図。
【図５】本考案により家屋建築用基礎構造の束石の平面図。
【図６】本考案により家屋建築用基礎構造の束石成型用型枠の縦断側面図。
【図７】本考案により家屋建築用基礎構造の束石成型用型枠の縦断側面図。
【図８】本考案により家屋建築用基礎構造の束石成型用型枠の斜視図。
【図９】本考案により家屋建築用基礎構造の側部型枠の要部の斜視図。
【図１０】本考案により家屋建築用基礎構造の側部型枠の角部の斜視図。
【符号の説明】
【００２３】１：基礎地盤
２：グリ石及び砕石層
３：下部捨てコン層
４：防湿シート
５：上部捨てコン層
６：束石
６Ａ：凹部
７：配筋
８：溶接金網
９：仕上げコン
１０：床束
１１：充填材
【図１】
0003129129.tif 000003
【図２】
0003129129.tif 000004
【図３】
0003129129.tif 000005
【図４】
0003129129.tif 000006
【図５】
0003129129.tif 000007
【図６】
0003129129.tif 000008
【図７】
0003129129.tif 000009
【図８】
0003129129.tif 000010
【図９】
0003129129.tif 000011
【図１０】
0003129129.tif 000012